(57)【要約】【課題】  本発明は、掃除の際に被掃除面の埃の有無を検知してユーザに報知することができる、埃の検知機能を備えた真空掃除機用の連結管を提供する。【解決手段】  本発明の連結管は、内部に埃や汚物を含む吸引空気を移動させる第１空気吸引通路を備える管体と、管体に連結され、第１空気吸引通路と連通する第２空気吸引通路を備えるボディと、ボディの第２空気吸引通路上に配置され、第２空気吸引通路を介して埃や汚物が通過するか否かを検知する検知センサーと、検知センサーからの信号に応じて動作するランプ部と、ボディに回転自在に設けられた回転部と、ボディに設けられ、ボディの第２空気吸引通路内の空気吸引力によって、外部から第２空気吸引通路内に空気を吸引して回転部を回転させる回転駆動流路部と、回転部によって回転するように回転部に連結され、少なくとも検知センサーとランプ部を動作させる電力を発電する発電機と、ボディに設けられ、回転部の回転時および空気流動時に発生する騒音を低減するためのマフラー部と、を含む。【選択図】図１
2008259816.tif 000002
【特許請求の範囲】
【請求項１】
内部に埃や汚物を含む吸引空気を移動させる第１空気吸引通路を備える管体と、
前記管体に連結され、前記第１空気吸引通路と連通する第２空気吸引通路を備えるボディと、
前記ボディの前記第２空気吸引通路上に配置され、前記第２空気吸引通路を介して前記埃や汚物が通過するか否かを検知する検知センサーと、
前記検知センサーからの信号に応じて動作するランプ部と、
前記ボディに回転自在に設けられた回転部と、
前記ボディに設けられ、前記ボディの前記第２空気吸引通路内の空気吸引力によって、外部から前記第２空気吸引通路内に空気を吸引して前記回転部を回転させる回転駆動流路部と、
前記回転部によって回転するように前記回転部に連結され、少なくとも前記検知センサーと前記ランプ部を動作させる電力を発電する発電機と、
前記ボディに設けられ、前記回転部の回転時および空気流動時に発生する騒音を低減するためのマフラー部と、
を含むことを特徴とする埃の検知機能を備えた真空掃除機用の連結管。
【請求項２】
前記管体は、一字形管、多段式管、及び柔軟性管のうちの一つを含むことを特徴とする請求項１に記載の埃の検知機能を備えた真空掃除機用の連結管。
【請求項３】
前記ボディと前記管体は、それぞれ吸引ノズルと操作ハンドル、又は操作ハンドルと掃除機本体に着脱自在に設けられたことを特徴とする請求項１に記載の埃の検知機能を備えた真空掃除機用の連結管。
【請求項４】
前記検知センサーは、発光部と受光部を備える光センサーを含むことを特徴とする請求項１に記載の埃の検知機能を備えた真空掃除機用の連結管。
【請求項５】
前記ランプ部は、
前記検知センサーが埃や汚物を検知する時に発生する第１信号によって動作する第１発光ランプと、
前記検知センサーが汚物を検知できない時に発生する第２信号によって動作する第２発光ランプと、
を含むことを特徴とする請求項１に記載の埃の検知機能を備えた真空掃除機用の連結管。
【請求項６】
前記回転部は、前記ボディの前記第２空気吸引通路の縦軸に平行して配置された回転軸を備えるインペラを含むことを特徴とする請求項１に記載の埃の検知機能を備えた真空掃除機用の連結管。
【請求項７】
前記回転駆動流路部は、
前記ボディの外側に設けられ内部に前記回転部を装着する回転部装着部に形成され、
前記回転部装着部の外周面に形成され外気を吸引する複数の吸引開口と、
前記回転部が装着され前記外気が前記回転部を介して移動する回転部装着空間と、
前記回転部装着部の一面に前記第２空気吸引通路と連通するように形成された排出管部と、
を含むことを特徴とする請求項１に記載の埃の検知機能を備えた真空掃除機用の連結管。
【請求項８】
前記マフラー部は、
前記ボディに形成された複数の共鳴ホールと、
カバーと前記ボディとの間の空間に充填された吸音材と、
を含むことを特徴とする請求項１に記載の埃の検知機能を備えた真空掃除機用の連結管。
【発明の詳細な説明】
【技術分野】
【０００１】
本発明は真空掃除機に関し、より詳細には、掃除時に被掃除面の埃の有無を検知してユーザに報知することができる埃の検知機能を備えた真空掃除機用の連結管に関する。
【背景技術】
【０００２】
一般に、真空掃除機は真空モータを用いて強力な吸引力を発生し、被掃除面にある埃や汚物などを吸引することにより被掃除面の掃除を行なう。従って、真空掃除機はカーペット、床などのような被掃除面にある汚物を掃除する時に非常に有効である。
【０００３】
しかし、上記のような真空掃除機は、わりと大きい埃や目に付きやすい汚物により汚されている掃除領域を掃除する時は、被掃除面の埃の有無をユーザが容易に把握することができるが、わりと微細な埃により汚されている掃除領域を掃除する時には、被掃除面の埃の有無をユーザが容易に把握できないという問題点がある。
【０００４】
このような問題を解決するために、日本特許公開平１１−７６１２０号には、延長管のような汚物吸引路に、汚物吸引路内の空気吸引力によって吸引される外気によって回転する回転羽と、回転羽によって駆動される発電機を備えた電気掃除機が開示されている。この電気掃除機は、掃除の際に回転羽によって駆動される発電機を通じて電力を自家発電することにより汚物センサーなどを動作し、汚物センサーの設置された吸引ノズルまたは汚物吸引路内の埃の有無をユーザに報知するように構成されている。従って、ユーザは掃除の際の汚物センサーなどの動作により、掃除した被掃除面の埃の有無または掃除完了有無を把握することができるようになる。
【０００５】
しかし、このような電気掃除機は、発電機を駆動する回転羽が汚物吸引路の空気吸引力によって吸引される外気によって回転するため、回転羽が外気によって回転する時および汚物吸引路内の空気と合流する時に騒音が発生し得るという問題点がある。この騒音は掃除機の品質を低下する要因となる。
【特許文献１】日本特許公開平１１−７６１２０号公報
【発明の開示】
【発明が解決しようとする課題】
【０００６】
本発明は上記のような問題点を鑑みて提出されたもので、本発明の目的は、大きな騒音を発生せずに掃除の際に被掃除面の埃の有無を自動検知してユーザに報知することができる、埃の検知機能を備えた真空掃除機用の連結管を提供することにある。
【課題を解決するための手段】
【０００７】
上記のような本発明の目的を達成するための埃の検知機能を備えた真空掃除機用の連結管は、内部に埃や汚物を含む吸引空気を移動させる第１空気吸引通路を備える管体と、前記管体に連結され、前記第１空気吸引通路と連通する第２空気吸引通路を備えるボディと、前記ボディの前記第２空気吸引通路上に配置され、前記第２空気吸引通路を介して前記埃や汚物が通過するか否かを検知する検知センサーと、前記検知センサーからの信号に応じて動作するランプ部と、前記ボディに回転自在に設けられた回転部と、前記ボディに設けられ、前記ボディの前記第２空気吸引通路内の空気吸引力によって、外部から前記第２空気吸引通路内に空気を吸引して前記回転部を回転させる回転駆動流路部と、前記回転部によって回転するように前記回転部に連結され、少なくとも前記検知センサーと前記ランプ部を動作させる電力を発電する発電機と、前記ボディに設けられ、前記回転部の回転時および空気流動時に発生する騒音を低減するためのマフラー部と、を含むことを特徴とする。
ここで、前記管体は、一字形管、多段式管、及び柔軟性管であることができる。
【０００８】
前記ボディと前記管体は、それぞれ吸引ノズルと操作ハンドル、又は操作ハンドルと掃除機本体に着脱自在に設けられることができる。このために、ボディと管体はそれぞれ吸引ノズルと操作ハンドルに着脱自在に連結される第１及び第２接続部を含むことが好ましい。
前記検知センサーは、発光部と受光部を備える光センサーであることができる。
【０００９】
前記ランプ部は、前記検知センサーが埃や汚物を検知する時に発生する第１信号によって動作する第１発光ランプと、前記検知センサーが汚物を検知できない時に発生する第２信号によって動作する第２発光ランプと、を含むことができる。
【００１０】
前記回転部は、前記ボディの前記第２空気吸引通路の縦軸に平行して配置された回転軸を備えるインペラであることができる。
【００１１】
前記回転駆動流路部は、前記ボディの外側に設けられ内部に前記回転部を装着する回転部装着部に形成され、前記回転部装着部の外周面に形成され外気を吸引する複数の吸引開口、前記回転部が装着され前記外気が前記回転部を介して移動する回転部装着空間、及び前記回転部装着部の一面に前記第２空気吸引通路と連通するように形成された排出管部を含むことが好ましい。
【００１２】
前記マフラー部は、前記ボディに形成された複数の共鳴ホールと、カバーと前記ボディとの間の空間に充填された吸音材と、を含むことが好ましい。
【発明の効果】
【００１３】
本発明に係る埃の検知機能を備えた真空掃除機用の連結管は、ボディの内部にマフラー部を備えるため、回転部の回転時および外気とボディ内の空気との合流時に発生する騒音を効果的に抑えることができる。従って、掃除の際に大きな騒音を発生することなく被掃除面の埃の有無を自動検知してユーザに報知することができる利点がある。
【発明を実施するための最良の形態】
【００１４】
以下、添付の図面に基づいて本発明の好適な実施形態に係る埃の検知機能を備えた真空掃除機用の連結管について詳細に説明する。
【００１５】
図７は、本発明の一実施形態に係る埃の検知機能を備えた真空掃除機用の連結管１２０が適用される真空掃除機１００の一例を示す図である。
【００１６】
同図に示すように、真空掃除機１００は、埃や汚物などが含まれた空気を吸引する吸引ノズル１１０、吸引ノズル１１０に連結された本発明の一実施形態に係る埃の検知機能を備えた連結管１２０、操作ハンドル１３０、操作ハンドル１３０に連結された吸引ホース１４０、及び吸引ホース１４０に連結され集塵室（不図示）とモータ室（不図示）とに分離区画されている掃除機本体１５０を含む。
【００１７】
図１は、本発明の一実施形態に係る埃の検知機能を備えた真空掃除機用の連結管１２０を示す斜視図である。
【００１８】
図１及び図７に示すように、連結管１２０は吸引ノズル１１０と操作ハンドル１３０との間に着脱自在に設けられ、管体１１１及び埃検知ユニット１１８を含む。
【００１９】
管体１１１は、円筒形の一字型管１１３から構成される。一字型管１１３は、その内部に、吸引ノズル１１０及び操作ハンドル１３０と連通し、吸引ノズル１１０を介して吸引された埃や汚物を含む吸引空気を、吸引ノズル１１０から操作ハンドル１３０の方に移動させる第１空気吸引通路１２４を備える。
【００２０】
図２及び図３に示すように、埃検知ユニット１１８は、ボディ１１４、検知センサー１２５、ランプ部１４５、回転部１３５、回転駆動流路部１９０、発電機１５５、及びカバー部１５０を含む。
【００２１】
ボディ１１４は上部において一字型管１１３を収容して固定し、一字型管１１３の第１空気吸引通路１２４と連通する円筒形の第２空気吸引通路１２４’を備える長方形の管から構成される。
【００２２】
検知センサー１２５は、掃除の際に吸引ノズル１１０によって吸引された吸引空気が第２空気吸引通路１２４’を通過する時、通過する吸引空気中に埃や汚物があるか否かを検知するものであって、第２空気吸引通路１２４’の入口に配置される。検知センサー１２５は、発光部１２７と受光部１２８とを備える光センサー１２６であることができる。この場合、発光部１２７は第２空気吸引通路１２４’に向かって光を発生するようにボディ１１４の上部一面に設けられ、受光部１２８は発光部１２７から発光されて第２空気吸引通路１２４’を通過した光を受光するようにボディ１１４の上部多面に配置される。従って、光センサー１２６は、第２空気吸引通路１２４’を通過する空気中に埃や汚物がある時には、発光部１２７から発光された光が埃や汚物によって遮断され「オフ」信号を発生し、空気中に埃や汚物がない時には、発光部１２７から発光された光が受光部１２８によって受光され「オン」信号を発生する。
【００２３】
ランプ部１４５は、掃除時に検知センサー１２５からの信号に応じて動作し、ユーザに対して吸引ノズル１１０によって吸引され第２空気吸引通路１２４’を通過する吸引空気中の埃や汚物の有無を報知するものであって、回路基板１４７に設けられている。ランプ部１４５は、検知センサー１２５が埃や汚物を検知するときに発生する「オフ」信号によって動作する第１発光ランプ１４８、及び検知センサー１２５が汚物を検知できないときに発生する「オン」信号によって動作する第２発光ランプ１４９から構成される。第１及び第２発光ランプ１４８、１４９は、それぞれ赤色光と青色光を発光することのできるレーザー発光ダイオード（Ｌａｓｅｒ  Ｅｍｉｔｔｉｎｇ  Ｄｉｏｄｅ：ＬＥＤ）から形成される。第１及び第２発光ランプ１４８、１４９に対向するカバー部１５０の上部カバー１５１には透明板１５２が設けられる。
【００２４】
回転部１３５は、発電機１５５のコイル部（不図示）を回転させる回転力を発生するもので、インペラ１３６から構成される。図３ないし図５に示すように、インペラ１３６は、ボディ１１４と別途で形成された発電機ブラケット１６０の発電機装着部１６３に装着された発電機１５５の軸に連結された回転軸１３７を備える。インペラ１３６の回転軸１３７は、第２空気吸引通路１２４’の吸引空気の流動方向、すなわち第２空気吸引通路１２４’の縦軸に平行して配置される。
【００２５】
回転駆動流路部１９０は、真空掃除機の真空モータの吸引力、すなわち第２空気吸引通路１２４’内の空気吸引力によって外部から外気を吸引してインペラ１３６を回転させるものであって、発電機ブラケット１６０の回転部装着部１６１に形成される。
【００２６】
回転駆動流路部１９０は、回転部装着部１６１の外周面に所定間隔を置いて形成された複数の吸引開口１９３、インペラ１３６が装着される回転部装着部１６１内のインペラ装着空間１９４、及び回転部装着部１６１の上面に第２空気吸引通路１２４’と連通するように配置された排出管部１９６から構成される。このとき、排出管部１９６は、インペラ１３６の回転軸１３７が第２空気吸引通路１２４’の吸引空気の流動方向に対して平行に配置されるように逆Ｌ字状に形成される。
【００２７】
発電機１５５は、検知センサー１２５とランプ部１４５を動作する電力を発電するもので、インペラ１３６によって回転するように軸がインペラ１３６の回転軸１３７に連結されている。発電機１５５は、Ｎ極磁石とＳ極磁石との間に軸に設けられたコイル部を備え、たとえば、インペラ１３６が約４３００ｒｐｍで回転するときに１５Ｖの電圧を発電することができる公知の発電機から構成することができる。発電機１５５のコイル部は、発電された電力をランプ部１４５及び検知センサー１２５に供給するようにランプ部１４５が装着された回路基板１４７に連結されている。回路基板１４７には、ランプ部１４５及び検知センサー１２５が電気的に接続されている。選択的に、発電機１５５から発電された電力を操作ハンドル１３０の電源部または回路部を駆動する電源として使用するために、回路基板１４７は図示していない電線および接続部によって操作ハンドル１３０の回路部と電気的に接続されるように構成することができる。
【００２８】
カバー部１５０は、上部カバー１５１と下部カバー１５３から構成される。上部カバー１５１は、検知センサー１２５、ランプ部１４５、回転部１３５、発電機１５５などの部品が設けられたボディ１４４の部品装着領域の全体を取り囲む形で形成され、ネジなどの固定手段によってボディ１１４に固定される。上部カバー１５１の上側には透明板１５２が配置され、中央には第２空気吸引通路１２４’内の空気吸引力によって外気が吸引される複数の空気吸引ホール１５１ａが形成されている。
【００２９】
下部カバー１５３は後述するマフラー部１３１が形成されたボディ１１４の部品非装着領域を取り囲む形で形成され、ネジなどの固定手段によってボディ１１４に固定される。
【００３０】
インペラ１３６の回転時に発生する騒音、及び空気吸引ホール１５１ａを介して吸引された外気が回転駆動流路部１９０を介して第２空気吸引通路１２４’内の空気と合流する時に発生する騒音を低減するために、図２及び図３に示すように、ボディ１１４の部品非装着領域にはマフラー部１３１が形成される。マフラー部１３１は共鳴ホール１３３とスポンジのような吸音材１３４から構成される。共鳴ホール１３３は、ボディ１１４の部品非装着領域において、所定の形態と配列、たとえば楕円形態の格子配列またはジグザグ式の配列に形成される。吸音材１３４は、ボディ１１４の部品非装着領域において、ボディ１１４の隔壁と下部カバー１５３によって外部及び部品装着領域から隔離された空間に充填される。このように構成することにより、インペラ１３６の回転時に発生する騒音と、第２空気吸引通路１２４’内の空気吸引力によって回転駆動流路部１９０を介して吸引される外気が第２空気吸引通路１２４’内の吸引空気と合流する時に発生する騒音は、１次で吸音材１３４または共鳴ホール１３３によって除去された後、２次で共鳴ホール１３３または吸音材１３４によって減殺され消滅する。
【００３１】
このように構成された連結管１２０を吸引ノズル１１０と操作ハンドル１３０との間に着脱自在に固定するために、ボディ１１４の下端部と一字型管１１３の上端部には第１及び第２接続部１１５、１１９が形成されている。
【００３２】
第１接続部１１５は吸引ノズル１１０の第１対応接続部１１０ａ（図７参照）に挿入されるように、第１対応接続部１１０ａより小さい直径を有する円筒形の管から構成される。第１接続部１１５には、第１対応接続部１１０ａとの接続時に第１対応接続部１１０ａに形成された第１固定溝１１０ａ’に挿入される第１可撓性突起１１７が形成されている。第１可撓性突起１１７は第１接続部１１５が第１対応接続部１１０ａから分離されるとき、第１対応接続部１１０ａの第１ボタン１１０ａ”によって押圧され、第１固定溝１１０ａ’から簡単に抜かれる。
【００３３】
第２接続部１１９は、操作ハンドル１３０の第２対応接続部（不図示）を収容するように、第２対応接続部より大きい直径を有する円筒形の管から構成される。第２接続部１１９には、第２対応接続部との接続時に第２対応接続部に形成された第２可撓性突起（不図示）が挿入される第２固定溝１２２（図１参照）、及び第２対応接続部から分離されるとき、第２固定溝１２２に挿入された第２可撓性突起を弾力的に下に押圧し、第２可撓性突起が第２固定溝１２２から簡単に抜くようにする押圧部１２１’（図３参照）を有する第２ボタン１２１が形成されている。
【００３４】
以上において、本発明に係る埃の検知機能を有する連結管１２０は、管体１１が一字型管１３３から構成された連結管に適用されたことを例示及び説明したが、本発明はこれに限定されるものではない。たとえば、連結管１２０は管体１１１が望遠鏡式に畳むことができる多段式の管（不図示）に形成された連結管、または柔軟性ホースまたは管（不図示）に形成された吸引ホースにも同一構成と原理を適用することができることは言うまでもない。連結管１２０が吸引ホースに適用される場合、吸引ホースは第１及び第２接続部１１５、１１９と操作ハンドル１３０、及び掃除機本体１５０の第１及び第２対応接続部（不図示）を介して操作ハンドル１３０と掃除機本体１５０との間に着脱自在に結合される。
【００３５】
以上のように構成された本発明の一実施形態に係る埃の検知機能を有する連結管１２０を備えた真空掃除機１００の埃の検知動作を図１ないし図７に基づいて詳細に説明する。
【００３６】
まず、被掃除面にある汚物や埃を掃除するために、図７に示すように、吸引ノズル１１０を被掃除面に接触しながら真空掃除機１００を稼動すると、掃除機本体１５０のモータ室内にある真空モータ（不図示）が作動して吸引力が発生し、これにより吸引ノズル１１０の空気吸引口（不図示）を介して空気が吸引される。空気吸引口を介して吸引された吸引空気は、連結管１２０のボディ１１４の第２空気吸引通路１２４’と一字型管１１３の第１空気吸引通路１２４に流入された後、操作ハンドル１３０と吸引ホース１４０を介して掃除機本体１５０に移動され、集塵室で汚物が分離された後に排出される。
【００３７】
このとき、回転部１３５のインペラ１３６は、真空掃除機の真空モータの吸引力、すなわち第２空気吸引通路１２４’内の空気吸引力によって、外部から上部カバー１５１の空気吸引ホール１５１ａ及び回転駆動流路部１９０の吸引開口１９３を介して吸引される外気によって回転する。その結果、発電機１５５はインペラ１３６の回転軸１３７と連結された発電機１５５の軸が回転し、発電機１５５の軸と共に回転するコイル部によって電力を発生する。発電機１５５で発生された電力は、回路基板１４７を介してランプ部１４５と検知センサー１２５に伝達される。検知センサー１２５に電力が供給されることにより、検知センサー１２５の光センサーの発光部１２７は光を放出するようになる。従って、光センサー１２６は埃や汚物が発光部１２７と受光部１２８との間を通過する時は、受光部１２８が埃や汚物によって発光部１２７から放出された光を受光することができなくて「オフ」信号を発生し、埃や汚物が通過しない時には、受光部１２８が光を受光して「オン」信号を発生するようになる。このとき、回路基板１４７に設けられたランプ部１４５は光センサー１２６から「オフ」信号が発生する時には、図６Ｂに示すように第１発光ランプ１４８を「オン」して赤色光を発生させ、「オン」信号が発生する時は、図６Ｃに示すように第２発光ランプ１４９を「オン」して青色光を発生させる。その結果、ユーザは赤色光または青色光が発生する時間や頻度によって、被掃除面に埃や汚物が多いか少ないかを分るようになる。
【００３８】
その後、掃除が完了して真空掃除機１００の稼動を中止すると、空気が第２空気吸引通路１２４’を介して移動しないため、回転部１３５のインペラ１３６は回転せず、発電機１５５は電力を発電しない。その結果、ランプ部１４５の第１及び第２発光ランプ１４８、１４９は図６Ａに示すようにすべて「オフ」となる。
【００３９】
以上、本発明の好適な実施形態を図示及び説明してきたが、本発明の技術的範囲は前述の実施形態に限定するものではなく、特許請求の範囲に基づいて定められ、特許請求の範囲において請求する本発明の要旨から外れることなく当該発明が属する技術分野において通常の知識を有する者であれば誰もが多様な変形実施が可能であることは勿論のことであり、該変更した技術は特許請求の範囲に記載された発明の技術的範囲に属するものである。
【産業上の利用可能性】
【００４０】
本発明の真空掃除機用の連結管は、一字型の延長管、多段式の延長管、又は柔軟性の吸引ホースのような真空掃除機の連結管に適用され、掃除の際に被掃除面の埃の有無を検知してユーザに報知するのに使用することができる。
【図面の簡単な説明】
【００４１】
【図１】本発明の一実施形態に係る埃の検知機能を備えた真空掃除機用の連結管を示す斜視図である。
【図２】図１の線ＩＩ−ＩＩに沿って切断した連結管の部分断面斜視図である。
【図３】上部カバーの省略された図１に示した連結管の断面図である。
【図４】図２及び図３に示した連結管の発電機ブラケットの斜視図である。
【図５】図２及び図３に示した連結管のインペラと発電機の斜視図である。
【図６Ａ】図２及び図３に示された連結管の埃検知ユニットの検知センサーとランプ部の動作を例示する部分断面図である。
【図６Ｂ】図２及び図３に示された連結管の埃検知ユニットの検知センサーとランプ部の動作を例示する部分断面図である。
【図６Ｃ】図２及び図３に示された連結管の埃検知ユニットの検知センサーとランプ部の動作を例示する部分断面図である。
【図７】本発明の一実施形態に係る埃の検知機能を備えた連結管が適用された真空掃除機を例示する斜視図である。
【符号の説明】
【００４２】
１００      真空掃除機
１１０      吸引ノズル
１１１      管体
１１４      ボディ
１１８      埃検知ユニット
１２０      連結管
１２５      検知センサー
１２６      光センサー
１３０      操作ハンドル
１３５      回転部
１３６      インペラ
１４５      ランプ部
１４８、１４９  発光ランプ
１５０      カバー部
１５１、１５３  カバー
１５５      発電機
１９０      回転駆動流路部
１９３      吸引開口
１９４      インペラ装着空間
１９６      排出管部
【図１】
2008259816.tif 000003
【図２】
2008259816.tif 000004
【図３】
2008259816.tif 000005
【図４】
2008259816.tif 000006
【図５】
2008259816.tif 000007
【図６Ａ】
2008259816.tif 000008
【図６Ｂ】
2008259816.tif 000009
【図６Ｃ】
2008259816.tif 000010
【図７】
2008259816.tif 000011